(57)【特許請求の範囲】
【請求項１】
バッグ装着用の基部材(２)の外側の装着面(１０)に、この装着面への対向方向から見た外面形状の異なる複数種類のポーションバッグ(２０)を、連結具(Ｊ)により、各ポーションバッグ(２０)がそれぞれの一定の姿勢を維持できるようにかつ当該姿勢で相互に隣接するように装着してなり、
異なる種類のポーションバッグ(２０)の外面形状を、単一の単位形状(Ｕ)或いは複数の単位形状の組み合わせからなる形状とし、
上記連結具(Ｊ)は、各ポーションバッグ(２０)の裏面に設けた連結子(３０)と、上記装着面(１０)上に規則的に点在させた複数の連結受部(１２)とを、相互に着脱自在に形成してなり、
上記連結子(３０)は、表面側から見て、各ポーションバッグ(２０)の少なくとも何れかの単位形状(Ｕ)内に設置されており、
また装着面(１０)を覆うように複数種類のポーションバッグ(２０)を装着させた状態で、上記対向方向から見て、これらポーションバッグ(２０)の全体を囲む輪郭(Ｃ)を変えずに、ポーションバッグ(２０)相互の配置を変化させることができるように設けたコンビネーションバッグであって、
上記単位形状(Ｕ)を三角形又は四角形とするとともに、上記ポーションバッグ（２０）の形状を一つの単位形状のみからなる多角形或いは複数の単位形状の組み合わせによりなる多角形とし、
多角形状の各ポーションバッグ（２０）は、隣接する全てのポーションバッグに対して当該多角形の対向する各辺で当接する、ことを特徴とする、コンビネーションバッグ。
【請求項２】
上記連結子(３０)は、各ポーションバッグ(２０)の裏面の少なくとも一部の単位形状の中心に設置し、
上記連結受部(１２)は、上記装着面上に仮想の格子パターン(Ｐ)を形成するように格子点状に点在させ、
上記装着面(１０)を覆うように複数種類のポーションバッグ(２０)を装着したときに、これらポーションバッグ(２０)の単位形状の中心と、上記格子パターン(Ｐ)の格子点とが一致するように格子パターンの形状及び格子間隔を設定したことを特徴とする、請求項１に記載のコンビネーションバッグ。
【請求項３】
上記連結具(Ｊ)は、連結受部(１２)に対して連結子(３０)を装着面(１０)と平行な方向へ移動させることで分離できるようにしたことを特徴とする、請求項１又は請求項２に記載のコンビネーションバッグ。
【請求項４】
複数種類のポーションバッグ(２０)として、第１種ポーションバッグ(２０Ａ)と第２種ポーションバッグ(２０Ｂ)と第３種ポーションバッグ(２０Ｃ)とを設けており、
第１種ポーションバッグ(２０Ａ)の外面形状は単一の単位形状であり、
第２種ポーションバッグ(２０Ｂ)の外面形状は２つの単位形状が連続した形状であり、
第３種ポーションバッグ(２０Ｃ)の外面形状は３つ以上の単位形状が連続した形状としたことを特徴とする、請求項１から請求項３の何れかに記載のコンビネーションバッグ。
【請求項５】
上記基部材(２)を弯曲可能な材料で形成するとともに、
装着面(１０)と平行な方向から見たポーションバッグ(２０)の形状を、外側が幅広のテーパ状としたことを特徴とする、請求項１から請求項４のいずれかに記載のコンビネーションバッグ。
【発明の詳細な説明】
【技術分野】
【０００１】
本発明は、コンビネーションバッグに関する。
【背景技術】
【０００２】
この種のコンビネーションバッグとして、大きなメインバッグの側面の所定位置に、形状の異なる複数のポーションバッグをそれぞれ取り付けたものが知られている（特許文献１の図４、特許文献２参照）。
【先行技術文献】
【特許文献】
【０００３】
【特許文献１】特開２００７−６１３０５
【特許文献２】特開２００９−５５９４４
【発明の概要】
【発明が解決しようとする課題】
【０００４】
特許文献１及び特許文献２のコンビネーションバッグは、大きさの異なる複数のバッグを組み合わせて機能性を高めたものであるが、デザインとしては、単純に複数の物品の形態を結合しただけであり、使い続けているうちに利用者に飽きられるおそれがある。
【０００５】
飽きの来ないデザインとしては、利用者の気分や用途に応じて形態を変化させることができるもの、利用者の遊び心をくすぐるようなものであることが望ましい。
【０００６】
本発明の目的は、バッグ装着用基部材の装着面に複数種類のポーションバッグを任意のパターンで配置することができ、その配置を自在に変更できるコンビネーションバッグを提供することである。
【課題を解決するための手段】
【０００７】
第１の手段として、
バッグ装着用の基部材２の外側の装着面１０に、この装着面への対向方向から見た外面形状の異なる複数種類のポーションバッグ２０を、連結具Ｊにより、各ポーションバッグ２０がそれぞれの一定の姿勢を維持できるようにかつ当該姿勢で相互に隣接するように装着してなり、
異なる種類のポーションバッグ２０の外面形状を、単一の単位形状Ｕ或いは複数の単位形状の組み合わせからなる形状とし、
上記連結具Ｊは、各ポーションバッグ２０の裏面に設けた連結子３０と、上記装着面１０上に規則的に点在させた複数の連結受部１２とを、相互に着脱自在に形成してなり、
上記連結子３０は、表面側から見て、各ポーションバッグ２０の少なくとも何れかの単位形状Ｕ内に設置されており、
また装着面１０を覆うように複数種類のポーションバッグ２０を装着させた状態で、上記対向方向から見て、これらポーションバッグ２０の全体を囲む輪郭Ｃを変えずに、ポーションバッグ２０相互の配置を変化させることができるように設けたコンビネーションバッグであって、
上記単位形状Ｕを三角形又は四角形とするとともに、上記ポーションバッグ２０の形状を一つの単位形のみからなる多角形或いは複数の単位形状の組み合わせによりなる多角形とし、
多角形状の各ポーションバッグ２０は、隣接する全てのポーションバッグに対して当該多角形の対向する各辺で当接する。
【０００８】
本手段は、図１及び図３に示すように、バッグ装着用の基部材２の外側に装着面１０を形成し、この装着面１０へ、外面形状の異なる複数種類のポーションバッグ２０を、連結具Ｊにより、各ポーションバッグ２０がそれぞれの一定の姿勢を維持できるようにかつ当該姿勢で相互に隣接するように装着することを提案する。上記連結具Ｊは、ポーションバッグ２０の裏面側に設けた連結子３０と、装着面１０に設けた連結受部１２とで形成する。またポーションバッグ２０は、単一の単位形状Ｕ或いは複数の単位形状の組み合わせからなる形状からなる形状としている。例えば図１の横長のポーションバッグ２０Ｂは、右半分の単位形状及び左半分の単位形状からなる。そして図５（Ｂ）に想像線で示すように、表面側から透視して見たときに、連結子は、ポーションバッグ２０の少なくとも何れかの単位形状内にあるように設ける。また、連結受部１２は、図３又は図５に示すように、装着面１０のうち、この装着面１０を覆う複数種類のポーションバッグ２０の各単位形状と向かい合う単位領域１０ａ毎に、配置している。これにより、装着面１０を覆うように複数種類のポーションバッグ２０を装着させた状態で、上記対向方向から見て、これらポーションバッグ２０の全体を囲む輪郭Ｃを変えずに、ポーションバッグ２０相互の配置を変化させることを可能としている。
【０００９】
ここで「基部材」とは、それ自体がバッグ機能を有するもの（メインバッグ）としてもよく、またバッグ機能を有しない基板としてもよいものとする。
「ポーションバッグ」とは、本明細書において、コンビネーションバッグ全体に対する一部のバッグ（部分バッグ）という意味に用いる。基部材をメインバッグとした場合には、これに付随するサブバッグとなる。
「連結子」及び「連結受部」という用語は、便宜的に、前者は連結具のうちでポーションバッグ側の部分、後者は装着面側の部分と使い分けているだけであり、“連結子”及び“連結受部”という言葉によって構造が限定されるものではない。例えば後述の連結子の構造及び連結受部の構造を相互に入れ替えても構わない。
「単位形状」は、最小のポーションバッグに相当する形状である。四角形（正方形、長方形、平行四辺形）や三角形などとすることが可能である。大きなポーションバッグの外面形状は複数の単位形状を組み合わせて形成する。
「ポーションバッグ２０の全体を囲む輪郭Ｃ」とは、図１に示す縦長長方形、図６（Ａ）に示す六角形（正三角形の角部を切り落とした六角形）、図６（Ｂ）の正方形などのおおよその形状をいうものとし、ポーションバッグの角部の丸みによる凹みや隙間は無視するものとする。
【００１０】
第２の手段は、第１の手段を有し、かつ
上記連結子３０は、各ポーションバッグ２０の裏面の少なくとも一部の単位形状の中心に設置し、
上記連結受部１２は、上記装着面上に仮想の格子パターンを形成するように格子点状に点在させ、
上記装着面１０を覆うように複数種類のポーションバッグ２０を装着したときに、これらポーションバッグ２０の単位形状の中心と、上記格子パターンＰの格子点とが一致するように格子パターンの形状及び格子間隔を設定した。
【００１１】
本手段では、例えば図５（Ａ）に示すように、連結受部１２を格子点状に配置することを提案している。本明細書において、「格子」とは、同一形状の多角形を空間上にタイルのように配置して形成される形状をいい、四角格子（矩形格子・正方格子・菱形格子）に限定されない。例えば図６に示す六角格子であってもよい。格子パターンの形状及び格子間隔は、上記装着面１０を覆うように複数種類のポーションバッグ２０を装着したときに、これらポーションバッグ２０の単位形状の中心と、上記格子パターンＰの格子点とが一致するように設定され、そして各ポーションバッグ２０の裏面の少なくとも一部の単位形状の中心には連結子３０を設置している。これにより、装着面１０内でポーションバッグ２０同士の配置パターンを変更しても、各連結子３０を何れかの連結受部１２へ連結できる。
【００１４】
第３の手段は、第１の手段又は第２の手段を有し、かつ
上記連結具Ｊは、連結受部１２に対して連結子３０を装着面１０と平行な方向へ移動させることで分離できるようにした。
【００１５】
本手段では、図４に示すように、連結子３０を装着面１０と平行な方向へ移動することで連結受部１２から分離できるようにしている。連結子３０を装着面１０から離す方向に移動することで取り外す場合と比べて、人込みの中でポーションバッグ２０が他人の持ち物などに引っ掛かって外れてしまうことを防止できる。
【００１６】
第４の手段は、第１の手段から第３の手段のいずれかを有し、かつ
複数種類のポーションバッグ２０として、第１種ポーションバッグ２０Ａと第２種ポーションバッグ２０Ｂと第３種ポーションバッグ２０Ｃとを設けており、
第１種ポーションバッグ２０Ａの外面形状は単一の単位形状であり、
第２種ポーションバッグ２０Ｂの外面形状は２つの単位形状が連続した形状であり、
第３種ポーションバッグ２０Ｃの外面形状は３つ以上の単位形状が連続した形状とした。
【００１７】
本手段は、図１に示すように、ポーションバッグ２０の態様として、外面形状を単一の単位形状とした第１種ポーションバッグ２０Ａ、外面形状を２つの単位形状が連続した形状とする第２種ポーションバッグ２０Ｂ、外面形状を３つ以上の単位形状が連続した形状とする第３種ポーションバッグ２０Ｃとすることを提案している。３種類のポーションバッグ２０を利用することでレイアウトの変更の自由度が増加し、パズルのように組み合わせることができる。
【００１８】
第５の手段は、第１の手段から第４の手段のいずれかを有し、かつ
上記基部材２を弯曲可能な材料で形成するとともに、
装着面１０と平行な方向から見たポーションバッグ２０の形状を、外側が幅広のテーパ状とした。
第３種ポーションバッグ２０Ｃの外面形状は３つ以上の単位形状が連続した形状とした。
【００１９】
本手段は、図１０に示すように、装着面１０と平行な方向から見たポーションバッグ２０の形状を、外側が幅広のテーパ状としたので、使用中に基部材２を弯曲させることでポーションバッグ２０同士の間に隙間が生ずることを防止できる。例えば基部材２をリュックサック型として身体に身に着け、身体を屈めたような場合を想定している。
【発明の効果】
【００２０】
第１の手段に係る発明によれば、装着面１０を覆うように複数のポーションバッグ２０を装着したときに、装着面への対向方向から見て、これらポーションバッグ２０の全体を囲む輪郭Ｃを変えずに、ポーションバッグ２０相互の配置を変化させることができるように設けたから、必要に応じてポーションバッグを組み合えることができ、かつ異なる外面形状のポーションバッグの組み合わせを変更する楽しみがあるので、利便性及びデザイン性を向上できる。
第２の手段に係る発明によれば、連結受部１２を格子点状に点在させたので、複数種類のポーションバッグを規則正しく、体裁よく配列させることができる。
第３の手段に係る発明によれば、連結具Ｊは、連結受部１２に対して連結子３０を装着面１０と平行な方向へ移動させないと分離できないので、例えば電車の中で他人が不正にポーションバッグを外方へ引っ張って取り外そうとしても取り外しできない。
第４の手段に係る発明によれば、少なくとも３種類の形状のポーションバッグを組み合わせたので、ポーションバッグ２０をパズルのように組み合わせてレイアウトの変更を楽しむことができる。
第５の手段に係る発明によれば、ポーションバッグの形状を外側に巾広のテーパ状としたから、基部材２を身体に身に着けたときに、身体の曲げ伸ばしに応じて基部材が弯曲しても、ポーションバッグ同士の間に隙間を生じて体裁を損なうことがない。
【図面の簡単な説明】
【００２１】
【図１】本発明の第１実施形態に係るコンビネーションバッグの正面図である。
【図２】図１のコンビネーションバッグの斜視図である。
【図３】図１のコンビネーションバッグの分解斜視図である。
【図４】図１のコンビネーションバッグを側方から見た作用説明図である。
【図５】図１のコンビネーションバッグの格子パターン（四角格子）を示すために模式的に描いた説明図であり、同図（Ａ）はポーションバッグを装着する前の基部材の前面図を、同図（Ｂ）は、ポーションバッグを装着した状態を表す図である。
【図６】本発明の第２実施形態に係るコンビネーションバッグの格子パターン（六角格子）を示すために模式的に描いた説明図であり、同図（Ａ）は正六角格子を、同図（Ｂ）は変形六角格子をそれぞれ表している。
【図７】本発明の参考例に係るコンビネーションバッグの正面図である。
【図８】本発明の第３実施形態に係るコンビネーションバッグの分解斜視図である。
【図９】本発明の第４実施形態に係るコンビネーションバッグの側面図である。
【図１０】図９のコンビネーションバッグの一つのポーションバッグの斜視図である。
【図１１】図９のコンビネーションバッグの作用説明である。
【発明を実施するための最良の形態】
【００２２】
図１から図５は、本発明の第１実施形態に係るコンビネーションバッグを示している。このコンビネーションバッグは、バッグ装着用の基部材２と、複数のポーションバッグ２０とで形成している。
【００２３】
基部材２は、ポーションバッグ２０を装着するための装着面１０を有する部材であればよい。本実施形態の基部材２は、それ自体がバッグ機能を有するメインバッグ２Ａとして形成しているが、後述の通り、バッグ機能を有しないものでも構わない。また上記メインバッグは、図示例の背負い鞄型に限定されず、それ以外の鞄（例えば手提げ鞄）であってもよい。
【００２４】
本実施形態のメインバッグ２Ａは、図３〜図４に示すように、背板部である後部４ａ及び前部４ｂを、底部４ｃ及び側部４ｄに比べて広く設けた箱形であり、その頂部４ｅに第１開口部６を形成している。後部４ａには肩ベルト８を付設している。これらの構造は適宜変更することができる。メインバッグ２Ａは変形可能な柔軟な材料で形成することが好適である。
【００２５】
上記メインバッグ２Ａの前部４ｂの外面は、図３に示すように、装着面１０として平らに形成しており、この装着面１０に複数の連結受部１２を規則正しく点在させている。
【００２６】
本実施形態の装着面１０は、四角形（図示例では長方形）であり、縦方向及び横方向の各辺の長さは、後述のポーションバッグ２０の単位形状Ｕの対応する辺の長さの整数倍としている。図２において、符号Ｂ２は、上記単位形状Ｕの対応する辺の長さと等しい間隔で描いた仮想の境界線を示す。これら境界線により区画された装着面１０の各部分（単位領域１０ａという）の中心にそれぞれ上記連結受部１２を固定させている。この構成により、これら連結受部１２が、四角格子タイプの格子パターンＰで配置されるようにしている（図５（Ａ）参照）。
【００２７】
上記連結受部１２は、後述の連結子３０の挿入片３２を挿入するための挿入口１４を有し、挿入片３２を挿入することでロックがかかるとともに、連結受部１２の適所に設けた押釦１６を押すとロックが解除されるように設けている。図示例では、挿入口１４を連結受部１２の上面に形成しているが、連結受部１２の側面又は下面に設けても構わない。連結受部１２と連結子３０とで連結具Ｊが形成される。
【００２８】
ポーションバッグ２０は、裏面部２２に固定させた連結子３０を有し、この連結子３０を介して上記装着面１０に装着できるように形成している。
【００２９】
この装着面１０へ装着した状態でポーションバッグ２０の外面形状は、単位形状Ｕを組み合わせた形状としている。単位形状Ｕを、正方形や正三角形などの正多角形とすると、ポーションバッグ２０の配列の自由度が大となって好適である。しかし、長方形・菱形・二等辺三角形・直角三角形などの多角形としてもよい。なお、ポーションバッグ２０外面形状とは、装着面１０と向かい合う方向（対向方向という）から見た形状をいうものとする。
【００３０】
図示のポーションバッグ２０は、裏面部２２及び表面部２４をほぼ平行に、これら両面部に対して周面部２６をほぼ垂直に形成しているが、これらの形状は適宜変更することができる。ポーションバッグ２０には開口部を設けることが望ましい。開口部の位置は任意であるが、表面部２４に設けると使い勝手がよい。作図は省略するが、例えば表面部の中心線に沿って直線状の一本の開口部を設けてもよい。また表面部の隣接する二辺に沿ってＬ字形の開口部を、或いは表面の三辺に沿ってコの字形の開口部を設けることができる。開口部は、ジッパー付きの開閉可能な開口部とすることができる。
【００３１】
上記連結子３０は、裏面部２２に固定させた固定板から、この固定板と平行な方向へ挿入片３２を突設している。連結子３０は、ポーションバッグ２０の何れかの単位形状Ｕの中心付近に位置するように配置することが望ましい。単位形状Ｕの中心は、例えば図心とすることができ、四角形の場合には２本の対角線の交点、真円の場合には円の中心である。
【００３２】
本発明においては、ポーションバッグ２０として、外面形状の異なる複数種類のものを設けている。これにより、一定の広がりの装着面１０内において、利用者が各種類のポーションバッグ２０の配置を変えて、レイアウトを工夫する楽しみを生ずる。
【００３３】
本発明の必須条件ではないが、好適な態様を次に掲げる。
（１）格子パターンの異なる方向の格子間隔を同じにすると、ポーションバッグの位置だけでなく、向きを変えてポーションバッグ２０を再配置することができ、レイアウトのパターンが増えるので、面白味が高まる。
（２）各種類毎に固有の装飾的要素（色彩や柄など）を設定すると、審美性が高まり、レイアウトの楽しみを増大させる。
（３）各ポーションバッグ２０の厚みを一定とすることで、装着面１０に装着したときの各ポーションバッグ２０の表面部２４がほぼ面一になるようにすると、装着面１０に対して斜め方向から見ても、ポーションバッグ２０全体のレイアウトが容易に観察者の視野に入り、本発明のコンビネーションバッグの外観のユニークさを際立たせることができる。
【００３４】
ポーションバッグ２０の種類は任意であるが、この明細書では、複数種類のポーションバッグ２０を便宜的に第１種ポーションバッグ２０Ａと第２種ポーションバッグ２０Ｂと第３種ポーションバッグとに分類している。
第１種ポーションバッグ２０Ａの外面形状は単一の単位形状Ｕである。この場合には、その単位形状Ｕの中心に連結子３０を設ける。
第２種ポーションバッグ２０Ｂの外面形状は２つの単位形状Ｕが連続した形状である。この場合には、各単位形状Ｕの中心に連結子３０を設ける。
第３種ポーションバッグ２０Ｃの外面形状は３つ以上の単位形状が連続した形状である。この場合、ポーションバッグ２０を構成する単位形状の数が多いときに、その全てについて連結子３０を設けると、そのポーションバッグ２０を装着面１０へ着脱する作業に手間がかかる。そこでポーションバッグ２０の姿勢を維持するのに必要な程度で幾つか（例えば３個のポーションバッグであれば両側、６個のポーションバッグ２０であれば四隅）の単位形状Ｕの中心に連結子３０を設ければ足りる。
【００３５】
図示例では、これら各種類のポーションバッグの外面形状を四角形とし、この四角形の隣り合う２辺の長さを単位長さ（上述の正方格子の格子間隔）の整数倍としている。これにより、ポーションバッグの配列を工夫する面白味が高まる。
【００３６】
上記ポーションバッグ２０を装着面１０へ取り付けるときには、図３に示す状態から一点鎖線で示すように、各ポーションバッグ２０の連結子３０の挿入片３２を装着面１０の連結受部１２の挿入口１４へ挿入して固定させるとよい。これにより連結具Ｊを介してポーションバッグ２０を装着面１０へ連結することができる。例えば図３中で一番下の第三種ポーションバッグ２０を、そのまま装着面１０の下半部へ取り付けてもよいが、装着面１０の上半分へ取り付けてもよい。さらに残りのポーションバッグ２０を、装着面１０の空きの部分へ装着すればよい。図１の例では単位形状Ｕがやや図面左右方向へ長い長方形であるので、同じ第２種ポーションバッグ２０Ｂでも形状が少し異なる。こうした制約を考慮しつつ、レイアウトの変更を行うとよい。
【００３７】
これに対して、図５に示すように単位形状Ｕが正方形である場合には、例えば縦長のポーションバッグ２０を、横長の姿勢へ向きを変えても装着面１０に装着することができ、レイアウトの自由度が広がる。
【００３８】
ポーションバッグ２０を装着面１０から外すときには、例えばメインバッグ２Ａを図４に示すように前側へ変形してポーションバッグ２０の自由端部２８を掴んでポーションバッグ２０と装着面１０との間に手を入れ、連結受部１２の押釦１６を操作して連結受部１２と連結子３０とのロックを外し、上方へ引き上げればよい。単純にポーションバッグ２０を水平方向外側へ引っ張っても外れないので、人込みの中で他物にポーションバッグ２０が引っかかって取れたり、或いは他人がそれを不正に外して盗難するということが起こりにくい。
【００３９】
図５（Ａ）は、本発明の装着面Ｓの構成の概念図であり、簡単のために連結受部１２を小さい丸印で描いている。同図において、連結受部１２は、想像線で描いた仮想の格子線Ｌが交わる格子点にそれぞれ配置されている。図示例では、その格子パターンＰを正方格子としている。各格子点は、装着面１０の単位領域１０ａの中心に位置している。図５（Ａ）では一つの単位領域のみを一点鎖線で描いている。この単位領域１０ａは、装着面１０に装着されたポーションバッグ２０の各単位形状Ｕと向かい合うように形成されている。
【００４０】
図５（Ｂ）は、図５（Ａ）の装着面１０に複数種類のポーションバッグ２０を装着した状態を描いている。簡単のために連結子３０も丸印で描いている。図示例では１個の第１種ポーションバッグ２０ＡＡ、３個の第２種ポーションバッグ２０Ｂ、単位形状３個分の第３ポーションバッグ２０及び単位形状６個分の第３種ポーションバッグ２０Ｃを用いて装着面１０の全体を覆っている。これらポーションバッグ２０の配置と向きとを変形して、ポーションバッグ２０全体の輪郭Ｃを変えないように、パズルゲームのように異なる形状のポーションバッグ２０を組み合わせることができる。これにより、利用者自体がコンビネーションバッグのレイアウトを変更することができる。
【００４１】
以下、本発明の他の実施形態について説明する。これらの説明において第１実施形態と同じ構成については解説を省略する。
【００４２】
図６は、本発明の第２実施形態に係るコンビネーションバッグを示している。図５と同じように連結子３０及び連結受部１２を図面で大小の丸印として描いている。本実施形態では、装着面１０の連結受部１２の格子パターンＰを六角格子としたものである。
図６（Ａ）は、格子パターンを正六角格子とするとともに、ポーションバッグ２０の単位形状Ｕを正三角形としている。こうした正六角格子の形状は、ハニカム（蜂の巣）形状などとも呼ばれている。
図６（Ｂ）は、上記格子パターンＰを変形六角格子とするとともに、ポーションバッグ２０の単位形状Ｕは直角三角形としている。
【００４３】
図７は、本発明の参考例に係るコンビネーションバッグを示している。
本実施形態では、上記異なる種類のポーションバッグ２０の外面形状を、第１実施形態のように単一の単位形状Ｕ或いは複数の単位形状の組み合わせからなる形状の代わりに、単位形状Ｕである単位円或いは相互に隣接する複数の仮想の単位円に外接するループ形としている。第１実施形態に準じて、一つの単位形状Ｕからなるものを第１種ポーションバッグ２０Ａ、２つのみの単位形状Ｕを連続してなるものを第２種ポーションバッグ２０Ｂ、３つ以上の単位形状Ｕを連続してなるものを第３種ポーションバッグ２０Ｃというものとする。
【００４４】
第１種ポーションバッグ２０Ａの外面形状は単一の円である。第２種ポーションバッグ２０Ｂ及び第３種ポーションバッグ２０Ｃの外面形状は、一部の単位円の円弧と、隣り同士の単位円同士の間で両単位円に外接する線分とで構成されている。
【００４５】
第１実施形態のコンビネーションバッグとは外観が異なるが、単位形状の組み合わせにより複数種類のバッグの外面形状を形成するとともに、装着面１０のうち単位形状の中心に対応する箇所に格子点状に連結子３０を配置して、レイアウトの変更を可能とするという本発明の原理はそのまま当てはまる。図示例では、格子パターンを正方格子としているが、矩形（長方形）の格子や六角格子にも適用できる。
【００４６】
本参考例の発明では、ポーションバッグ２０の単位形状を円形としたので、ポーションバッグ２０同士の間に隙間が広く生じる。従ってポーションバッグ２０を取り外すときに、その隙間からポーションバッグ２０と装着面１０との間に手を入れて、連結具Ｊのロックを解除する作業が容易となる。
なお、本参考例の発明の構成及び効果を下記に付記する。
異なる種類のポーションバッグ２０の外面形状を、単一の単位形状Ｕ或いは複数の単位形状の組み合わせからなる形状の代わりに、単位形状Ｕである単位円或いは相互に隣接する複数の仮想の単位円に外接するループ形としている。
本構成では、ポーションバッグ２０の外面形状を、単位形状である単位円、或いは相互に連続する単位円を包摂するループとして形成している。このため、ポーションバッグ２０の輪郭の少なくとも一部に単位円の円弧が現れるから、ポーションバッグ相互の隙間が生じ、ポーションバッグ２０を取り外す際に、その隙間に手を入れてポーションバッグ２０を把持することが容易となる。
この構成によれば、上記異なる種類のポーションバッグ２０の外面形状を、単位形状Ｕである単位円、或いは相互に隣接する複数の仮想の単位円に外接するループ形としたので、ポーションバッグの取り外しが容易となる。
【００４７】
図８は、本発明の第３実施形態に係るコンビネーションバッグを示している。本実施形態では、基部材２を、メインバッグに代えて、平板状の基板２Ｂにしたものである。図示例の基板２Ｂは横方向に長く、２つの短辺にベルト８を付設している。図示のベルトは、一対のベルト部分からなり、基板２Ｂから離れたベルトの端部を相互に着脱可能としている。もっとも、その形状は適宜変更することができる。図示例のものは、例えば人間の胴体に巻き付け、装着することに適しているが、取り付ける場所に対応して、例えば基板２Ｂを縦長にして、２つの長辺側にベルトを付設することで、腕などに装着し易くしてもよい。図面中、３４は第２開口部である。
なお、基板２Ｂ以外の構成に関しては、先の実施形態の説明を援用する。
【００４８】
図９から図１１は、本発明の第４実施形態に係るコンビネーションバッグを示している。本実施形態では、図１０に示すように、装着面１０へ装着した状態でポーションバッグ２０を装着面１０と平行な方向から見てテーパ状に形成したものである。すなわち、装着面１０に近い側の幅ａと比べて、装着面１０から遠い側の幅ｂを広くしている。このような構成とした理由は、基部材２を人の身体に装着したときに、身体の動きに対応してポーションバッグ２０同士の間に隙間を生じ、体裁を損ねることを防止するためである。
【００４９】
図９は３つのポーションバッグ２０を平らな装着面１０に装着した状態を描いている。３つのポーションバッグ２０はもともと同じテーパ形状であるが、相互に当接しあって若干変形している。図１１のように基部材２を背負って身体をかがめると、各ポーションバッグ２０はもともとテーパ状であるので、相互の間に隙間を生じない。
【符号の説明】
【００５０】
２…バッグ装着用の基部材  ２Ａ…メインバッグ  ２Ｂ…基板
４ａ…後部（背板部）  ４ｂ…前部  ４ｃ…底部  ４ｄ…側部  ４ｅ…頂部
６…開口部  ８…ベルト（肩ベルト）
１０…装着面  １０ａ…単位区画
１２…連結受部  １４…挿入口  １６…押釦
２０…ポーションバッグ  ２０Ａ…第１種ポーションバッグ
２０Ｂ…第２種ポーションバッグ２０ＢＣ…第３種ポーションバッグ
２２…裏面部  ２４…表面部  ２６…周面部  ２８…自由端部
３０…連結子  ３２…挿入片  ３４…第２開口部
Ｂ１、Ｂ２…境界線
Ｄ…対向方向
Ｃ…輪郭  Ｊ…連結具  Ｌ…格子線  
Ｐ…格子パターン  Ｕ…単位形状
【要約】
【課題】バッグ装着用基部材の装着面に複数種類のポーションバッグを任意に配置し、その配置を自在に変更できるコンビネーションバッグを提供する。
【解決手段】バッグ装着用基部材２の外側の装着面１０に、外面形状の異なる複数種類のポーションバッグ２０を、連結具Ｊにより各ポーションバッグがそれぞれの一定の姿勢を維持できるようにかつ当該姿勢で相互に隣接するように装着する。異なる種類のポーションバッグ２０の外面形状は、単一の単位形状Ｕ或いは複数の単位形状の組み合わせからなる。連結具Ｊは、各ポーションバッグの裏面に設けた連結子３０と、装着面１０上に規則的に点在させた複数の連結受部１２とを相互に着脱自在に形成している。装着面を覆うように複数種類のポーションバッグを装着させた状態で、これらポーションバッグの全体を囲む輪郭Ｃを変えずにポーションバッグ相互の配置を変化できる。
【選択図】図１【図１】
0006006832.tif 000002
【図２】
0006006832.tif 000003
【図３】
0006006832.tif 000004
【図４】
0006006832.tif 000005
【図５】
0006006832.tif 000006
【図６】
0006006832.tif 000007
【図７】
0006006832.tif 000008
【図８】
0006006832.tif 000009
【図９】
0006006832.tif 000010
【図１０】
0006006832.tif 000011
【図１１】
0006006832.tif 000012